(57)【要約】【課題】この発明は、釣糸用接続具の改良に関し、詳しくは釣糸用接続具の弾性線条体が長手方向に中空部を有することにより浮力を与えられた釣糸用接続具に関する。【解決手段】道糸とハリスの間に介在させる、弾性線条体を有する釣糸用接続具において、前記弾性線条体は長手方向に中空部を有し、エラストマーからなるものであることを特徴とする釣糸用接続具。【選択図】図１
2005198544.tif 000002
【特許請求の範囲】
【請求項１】
道糸とハリスの間に介在させる、弾性線条体を有する釣糸用接続具において、前記弾性線条体は長手方向に中空部を有し、エラストマーからなるものであることを特徴とする釣糸用接続具。
【請求項２】
前記弾性線条体は、少なくとも１回以上伸ばした後に水又は風で冷却し収縮させる延伸処理が施された、或いは少なくとも１回以上伸ばした後に放置して自然に収縮させる延伸処理が施されたエラストマーからなるものである請求項１に記載の釣糸用接続具。
【請求項３】
前記弾性線条体は、前記エラストマーを溶融してから前記エラストマーを水又は風で冷却し、前記エラストマーが１〜１２０℃のときに前記エラストマーを伸ばすことにより収縮させる延伸処理が施されたエラストマーからなるものである請求項１に記載の釣糸用接続具。
【請求項４】
前記中空部は少なくとも１つ以上ある請求項１乃至３のいずれかに記載の釣糸用接続具。
【請求項５】
前記中空部に少なくとも１本以上のテグスを入れた請求項１乃至４のいずれかに記載の釣糸用接続具。
【請求項６】
請求項１乃至５のいずれかに記載の弾性線条体を少なくとも３本以上編み込んだものからなる編み込み式釣糸用接続具。
【請求項７】
前記編み込み式釣糸用接続具を構成する前記弾性線条体は、中空部を有していなくてもよい請求項６に記載の編み込み式釣糸用接続具。
【発明の詳細な説明】
【技術分野】
【０００１】
この発明は、釣糸用接続具の改良に関し、詳しくは釣糸用接続具の弾性線条体が長手方向に中空部を有することにより浮力を与えられた釣糸用接続具に関する。
【背景技術】
【０００２】
一般に魚釣においては、魚の警戒心が強いために釣針に直接接続される釣糸は極力細いものを使用する方が釣果に優れるものとなる。このため、従来、釣糸は釣糸に直接接続される細い線条のハリスと、釣人の手元からこのハリスまでの間を結ぶ線条の道糸とによって構成されている。
【０００３】
しかしながら、ハリスが細くなるほど当然に引張り強度が弱くなり、魚が釣針にかかった際の引きによってハリスに切れが生じやすくなる。
【０００４】
近年、このような魚を釣り上げる際のショックを緩和し、ハリスの合せ切れを少しでも少なくする手段として、道糸とハリスの間に接続される、弾性線条体を有する釣糸用接続具が提案され、市販されている。
【０００５】
このような釣糸用接続具として、例えば特許文献１、２に示すように、十分な伸縮性を有してクッション効果を発揮し、かつ度重なる使用においてもその特性が低下することなく使用できる熱可塑性ポリウレタンエラストマーからなる弾性線条体を利用した釣糸用接続具が提案されている。
【０００６】
しかしながら、一般に魚釣では、例えば釣糸用接続具を水面に浮かせたり、一定の深さに維持したり、またはゆっくりと沈降させたりすることが要求される。また、コマセカゴと針の深さをほぼ同じ深さにしないと釣果が得られないことが知られている。そのため、かかる魚釣で使用される釣糸用接続具には上記目的に応じた浮力が要求され、特許文献１、２の釣糸用接続具では、釣糸を水面に浮かせたりする浮力を得ることができず、優れた釣果を得ることができないといった問題があった。
【０００７】
また、従来の釣糸用接続具では強度の面で問題があった。
【特許文献１】特許第２８４３７９０号
【特許文献２】特許第３１７２１２８号
【発明の開示】
【発明が解決しようとする課題】
【０００８】
本発明は、上述したような実情に鑑みてなされたものであり、釣糸用接続具であって、弾性線条体の長手方向に中空部を有すること（チューブ状）により浮力を与えた釣糸用接続具を提供することを目的とする。
【０００９】
また、本発明は、弾性線条体を編みこむことにより、強度の面で優れた釣糸用接続具を提供することを目的とする。
【課題を解決するための手段】
【００１０】
本発明の上記目的は、道糸とハリスの間に介在させる、弾性線条体を有する釣糸用接続具において、前記弾性線条体は長手方向に中空部を有し、エラストマーからなるものであることによって達成される。
【００１１】
また、本発明の上記目的は、前記弾性線条体は、少なくとも１回以上伸ばした後に水又は風で冷却し収縮させる延伸処理が施された、或いは少なくとも１回以上伸ばした後に放置して自然に収縮させる延伸処理が施されたエラストマーからなるものであることによって或いは前記弾性線条体は、前記エラストマーを溶融してから前記エラストマーを水又は風で冷却し、前記エラストマーが１〜１２０℃のときに前記エラストマーを伸ばすことにより収縮させる延伸処理が施されたエラストマーからなるものであることによって達成される。
【００１２】
本発明の上記目的は、前記中空部は少なくとも１つ以上あることによって、或いは前記中空部に少なくとも１本以上のテグスを入れ、前記テグスは前記弾性線条体の両端で固定されていることによってより効果的に達成される。
【００１３】
さらに、本発明の上記目的は、上述の弾性線状体を少なくとも３本以上編み込んだものによって、或いは前記編み込み式釣糸用接続具を構成する前記弾性線状体は、中空部を有していなくてもよいことによって達成される。
【発明の効果】
【００１４】
本発明の釣糸用接続具によれば、弾性線条体の長手方向に中空部を有することにより、釣糸用接続具に浮力が与えられる。これにより、釣糸用接続具を水面に浮かせたり、コマセカゴと針の深さをほぼ同じ深さにできるようになり、優れた釣果を得ることができる。
【００１５】
また、編み込み式の釣糸用接続具によれば、従来の釣糸用接続具よりも強度の面で優れる。
【発明を実施するための最良の形態】
【００１６】
以下、本発明の構成を図面に基づき詳細に説明する。
【００１７】
図１は、本発明の釣糸用接続具の構造を示す模式図である。釣糸用接続具１は、弾性線条体２とその両端に係止されたサルカン（撚戻し具）３、４とからなる。
【００１８】
この実施形態においては、サルカン３、４は、それぞれの一端部の接続用環部に、弾性線条体２の両端部を挿通し、この環部に挿通された線条体の各端部位を折り返して弾性線条体２の各端部位を折り返して弾性線条体２の実長部に接合してループ部５、６を形成することで弾性線条体２に係止されている。なお、サルカン３、４に弾性線条体２の両端部を挿通させる前に、後述する中空部と同径の同系の材料及びひも等を中空部に入れて中空部を塞ぐことにより、ループ部５、６を形成し係止しやすくするようにしてもよい。
【００１９】
本発明の釣糸用接続具において、弾性線条体２は伸縮性及び耐久性の面から熱可塑性ポリウレタンエラストマーで構成されるものであることが好ましく、さらにはエステル系熱可塑性ポリウレタンエラストマーから構成されるものであることが好ましい。
【００２０】
熱可塑性ポリウレタンエラストマーとしては、例えば、レザミン（大日精化学工業製）、ペレセン（エム・ディー化成製）、エラストラン（日本エラストラン製）、パラプレン（日本ポリウレタン工業製）パンディックス（大日本インキ化学工業製）、タケラック（武田バーデッシュ製）、デスモパン（バイエル／住友バイエルウレタン製）、ユーファイン（旭硝子製）、クラミロン（クラレ製）、ペレセン（ダウケミカル製）、ハイプレン（三井日曹ウレタン製）、ミラクトラン（日本ミラクトラン製）、アイアンラバー（日本オイルシール工業製）、モビロン（日清紡製）等が挙げられる。このような熱可塑性ポリウレタンエラストマーのうち、より好ましくは、そのソフトセグメントがポリエステルであるエステル系熱可塑性ポリウレタンエラストマーが、さらにアジペート型エステル系熱可塑性ポリウレタンエラストマーが、優れた引張強度、伸び率等の物性を有するものであるため望ましい。このようなアジペート型エステル系熱可塑性ポリウレタンエラストマーとしては、例えばレザミンＰ−１０００シリーズ（大日精化学工業製）などが挙げられる。さらに、物理的特性面からは、引張強度が１３２〜１４９ＫＮ／ｍ、伸び率４００％程度、反発弾性３８％程度、ＪＩＳ硬度Ａ９５ＪＩＳＡ程度といった物性を有するものであることが望ましく、これらを満たすものとしては、例えば、前記レザミンＰ−１０００シリーズを例示にとれば、レザミンＰ−１０４５、Ｐ−１０９０、Ｐ−１０９８等がある。
【００２１】
本発明に係る釣糸用接続具１において、弾性線条体２の直径および長さは、釣りの対象となる魚の種類、大きさに応じて適宜選択されるものであるために、一概に規定することはできないが、例えば、直径１．０〜６．０ｍｍ、長さ１５０〜２０００ｍｍ程度で使用される。より具体的には、例えば直径１．５ｍｍ程度の弾性線条体２の場合には、ハリス５号以下の接続に適合し、また直径２．０ｍｍ程度の弾性線条体２の場合には、ハリス１０号程度以下の接続に適合するものと考えられる。更に、長さは対象魚や釣り方に応じて適宜選択される。もちろん弾性線条体２の直径や長さ等は上述のものに何ら限定されるものではない。
【００２２】
本発明の釣糸用接続具の弾性線条体２は、長手方向に中空部を有している。図２は、弾性線条体２の断面を示す図である。この中空部２１の数は特に限定されないが、１以上であることが好ましい。また、中空部２１の形状は特に限定されず、円形状、楕円状、多角形状等であってもよい。
【００２３】
この中空部２１には、空気が入っている。この結果、本発明の釣糸用接続具は浮力を得ることができる。なお、空気以外の気体、例えば、窒素、ヘリウム、アルゴン等を適宜選択し、封入することにより、浮力を変えることができる。
【００２４】
中空部を有する弾性線条体２の製造方法としては、特に限定されないが、例えば、押し出し型成形、ゴム抜き加工、ゴム金型成形等が挙げられる。
【００２５】
本発明に係る釣糸用接続具の弾性線条体２は、延伸処理を行ってもよい。延伸処理を行なうことにより、弾性線条体２の引張強度が向上する。延伸処理の方法としては、弾性線条体２を伸ばすストロークを１回又は複数回繰り返し行った後に水又は風で冷却し、収縮させる方法及び弾性線条体２を伸ばすストロークを１回又は複数回繰り返し行った後に放置して自然に縮ませる方法がある。ストロークを行う回数としては１回又は２回の繰り返しでも良いが、３回以上繰り返し行うことが好ましい。ストローク量としては、弾性線条体２を切れる直前まで伸ばすことが可能であり、弾性線条体２の材質、硬度によって伸び率が異なることから一概には言えないが、上述のレザミンＰ−１０４５、１０９０、１０９８の場合には約５倍の長さに伸ばすストロークであれば十分である。また、ストローク回数も、弾性線条体２が硬めになって強くなる程度、例えば数回程度で十分である。例えば６０ｃｍ〜７０ｃｍの長さの弾性線条体２を約１３０ｃｍ〜１５０ｃｍの長さに伸ばすストロークを３〜４回行い、負荷をかけない状態で半日〜１日放置すると、約１００ｃｍ〜１２０ｃｍの長さに縮んで落ち着く。なお、このように長さの変化を目安に弾性線条体２を伸ばすストローク量を決定する代わりに、弾性線条体２の太さの変化を目安に当該弾性線条体２を伸ばすストローク量を決定しても良い。例えば直径６．３ｍｍが５ｍｍ、直径３ｍｍが２．３ｍｍ、直径１．５ｍｍが１．２ｍｍ、直径１．３ｍｍが１ｍｍである。又は、長さの変化と太さの変化の両方を目安にストローク量を決定しても良い。
【００２６】
また、押し出し成形による延伸処理において、エラストマーを約２００度に加熱しゲル状にし（溶融）、水又は風で冷却する。そしてエラストマーが１〜１２０℃になったときに（まだ完全に冷却しないうちに）、ローラーで伸ばして（テンションさせ）形成した弾性線状体を収縮させ（巻き取る）、放置する方法を用いてもよく、これ以外の方法を用いてもよい。なお、水は霧状にして噴霧することによりエラストマーを冷却するようにしてもよい。
【００２７】
図３に示すように、中空部２１にテグス９を入れこむようにしてもよい。テグス９は両端をサルカン３、４で留められており、サルカンの支柱３１、４１の一部を覆うように弾性線条体２が接合している。なお、テグス９の両端を弾性線条体２の両端で固定してもよく、テグス９とともに弾性線条体２の各端部位を折り返して弾性線条体２の実長部に接合してループ部を形成し弾性線条体２に係止するようにしてもよい。また、サルカンの支柱３１、４１の長さを長くすることにより、テグス９を留めやすくすることもできる。
【００２８】
テグス９の構成材料としては例えば、ナイロン、フロロカーボン、ポリエステル、ポリエチレン、超高分子ポリエチレン、ダイニーマ（東洋紡製）等が挙げられ、使用目的等に応じて使い分けてもよい。また、複数使用してもよい。
【００２９】
テグス９を弾性線条体２の中空部２１に入れこむことにより、テグス９の長さ以上弾性線条体２は伸びることがないので、弾性線条体２が切れることを防止することができる。例えば、弾性線条体２の中空部２１に長さ３ｍのテグス９を入れた場合、弾性線条体２は３ｍ以上伸びないこととなる。
【００３０】
図４に示すように、弾性線条体２を少なくとも３本以上編み込み、強度を向上させるようにしてもよい。
【００３１】
弾性線条体２を編み込む場合は、中空部を有していない弾性線条体２を使用してもよい。
【００３２】
また、中空部を有する弾性線条体２と中空部を有しない弾性線条体を組合せて編み込むことにより、浮力を調節することもできる。
【００３３】
弾性線条体２は必要に応じて、例えば道糸側からハリス側に向って漸次縮径されるようなテーパ状のものとしたり、あるいはよりコンパクトな形状で高い伸びを発揮するように複数の環部を連結したような形状としたりする等、適宜その径および形状を変化させたものとすることもできる。
【００３４】
なお、弾性線条体２に係止されるサルカン３、４の材質は、特に限定されるものではなく、真鍮製、ステンレス製、金属製、プラスチック製等の従来公知の任意のものを用いることができ、またその形状としても任意のものであり、さらにいわゆるサルカン以外にも、同様に機能するものであれば、撚戻し具としてはいかなるものであってもよい。また、サルカンは一般には弾性線条体２の少なくとも一端に取り付けられるが、場合によってはサルカンを取り付けずに、弾性線条体２の両端をループ状に形成して直接ハリスや道糸に結びつけるようにしても良い。また、図１の弾性線条体２にループ部５、６を形成せず、サルカン３、４を接続しないで実施することも可能である。
【００３５】
上述の実施例は本発明の好適な実施の一例ではあるがこれに限定されるものではなく本発明の要旨を逸脱しない範囲において種々変形実施可能である。
【図面の簡単な説明】
【００３６】
【図１】本発明に係る釣糸用接続具の構造の一例を示す模式図である。
【図２】本発明に係る釣糸用接続具の弾性線条体の断面図である。
【図３】本発明に係る釣糸用接続具の弾性線条体の中空部にテグスを入れた構造の一例を示す側面図である。
【図４】本発明に係る編み込み式釣糸用接続具の構造の一例を示す模式図である。
【符号の説明】
【００３７】
１          釣糸用接続具
２          弾性線条体
３、４      サルカン
３１、４１  サルカンの支柱
５、６      ループ部
７          道糸
８          ハリス
９          テグス
２１        中空部
【図１】
2005198544.tif 000003
【図２】
2005198544.tif 000004
【図３】
2005198544.tif 000005
【図４】
2005198544.tif 000006